【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信のための方法であって、
セルの基地局から、ワイヤレスデバイスのためのランダムアクセスチャネル（ＲＡＣＨ）構成を示すシグナリングを受信することと、
前記ＲＡＣＨ構成に基づいて、ＲＡＣＨプロシージャを実行する前記ワイヤレスデバイスを検出することと、
ＲＡＣＨ検出を前記セルの前記基地局に報告することと、
前記セルの前記基地局とのアップリンク通信のために前記ワイヤレスデバイスをサービスするための前記ワイヤレスノードが選択されたことを示すシグナリングを受信することと、
前記ワイヤレスデバイスから送信されたアップリンクデータを受信することと、
前記アップリンクデータを前記セルの前記基地局にフォワーディングすることと
を備える、方法。
【請求項２】
前記ワイヤレスデバイスの前記ＲＡＣＨ構成を示す前記シグナリングが、バックホールインターフェースを介して受信される、請求項１に記載の方法。
【請求項３】
前記セルの前記基地局との前記バックホールインターフェースを確立することと、
前記確立中に前記ＲＡＣＨ構成の指示を受信することと
をさらに備える、請求項２に記載の方法。
【請求項４】
前記確立の一部として前記セルの前記基地局にアップリンク構成情報を送信することをさらに備える、請求項３に記載の方法。
【請求項５】
ＲＡＣＨプロシージャを実行する前記ワイヤレスデバイスを検出した後に、
前記ワイヤレスデバイスにＲＡＣＨ応答を送信することと、
前記ワイヤレスデバイスから接続要求メッセージを受信することと
をさらに備える、請求項１に記載の方法。
【請求項６】
前記アップリンクデータが媒体アクセス制御（ＭＡＣ）プロトコルデータユニット（ＭＰＤＵ）として受信され、
前記アップリンクデータを前記セルの前記基地局にフォワーディングすることが、単一のメッセージ中で、前記受信されたＭＰＤＵを前記基地局に送信することを備える、請求項１に記載の方法。
【請求項７】
前記ワイヤレスデバイスのローディングまたはバッファステータスレジスタ（ＢＳＲ）のうちの少なくとも１つに基づいて、前記セルの前記基地局にアップリンクスケジューリング情報をフォワーディングすることをさらに備える、請求項６に記載の方法。
【請求項８】
ワイヤレスノードによるワイヤレス通信のための方法であって、
ワイヤレスデバイスのためのランダムアクセスチャネル（ＲＡＣＨ）構成を示すシグナリングを１つまたは複数の基地局にフォワーディングすることと、
前記１つまたは複数の基地局から、前記ＲＡＣＨ構成に基づくＲＡＣＨ検出の１つまたは複数の報告を受信することと、
前記１つまたは複数の報告に基づいて、アップリンク通信のために前記ワイヤレスデバイスをサービスするための、前記１つまたは複数の基地局のうちの１つの基地局を選択することと、
前記選択された基地局の指示を前記１つまたは複数の基地局にシグナリングすることと、
前記選択された基地局から、前記ワイヤレスデバイスからフォワーディングされたアップリンクデータを受信することと
を備える、方法。
【請求項９】
前記ワイヤレスデバイスの前記ＲＡＣＨ構成を示す前記シグナリングが、バックホールインターフェースを介してフォワーディングされる、請求項８に記載の方法。
【請求項１０】
前記１つまたは複数の基地局との前記バックホールインターフェースを確立することと、
前記確立中に前記ＲＡＣＨ構成の指示をフォワーディングすることと
をさらに備える、請求項９に記載の方法。
【請求項１１】
前記確立の一部として前記１つまたは複数の基地局からアップリンク構成情報を受信することをさらに備える、請求項１０に記載の方法。
【請求項１２】
前記フォワーディングされたアップリンクデータを受信することが、単一のメッセージ中で、前記選択された基地局から媒体アクセス制御（ＭＡＣ）プロトコルデータユニット（ＭＰＤＵ）を受信することを備える、請求項８に記載の方法。
【請求項１３】
前記ワイヤレスデバイスのローディングまたはバッファステータスレジスタ（ＢＳＲ）のうちの少なくとも１つに基づいて、前記選択された基地局からアップリンクスケジューリング情報を受信することをさらに備える、請求項１２に記載の方法。
【請求項１４】
ワイヤレスノードによるワイヤレス通信のための装置であって、
セルの基地局から、ワイヤレスデバイスのためのランダムアクセスチャネル（ＲＡＣＨ）構成を示すシグナリングを受信するための手段と、
前記ＲＡＣＨ構成に基づいて、ＲＡＣＨプロシージャを実行する前記ワイヤレスデバイスを検出するための手段と、
ＲＡＣＨ検出を前記セルの前記基地局に報告するための手段と、
前記セルの前記基地局とのアップリンク通信のために前記ワイヤレスデバイスをサービスするための前記ワイヤレスノードが選択されたことを示すシグナリングを受信するための手段と、
前記ワイヤレスデバイスから送信されたアップリンクデータを受信するための手段と、
前記アップリンクデータを前記セルの前記基地局にフォワーディングするための手段と
を備える、装置。
【請求項１５】
ワイヤレスノードによるワイヤレス通信のための装置であって、
ワイヤレスデバイスのためのランダムアクセスチャネル（ＲＡＣＨ）構成を示すシグナリングを１つまたは複数の基地局にフォワーディングするための手段と、
前記１つまたは複数の基地局から、前記ＲＡＣＨ構成に基づくＲＡＣＨ検出の１つまたは複数の報告を受信するための手段と、
前記１つまたは複数の報告に基づいて、アップリンク通信のために前記ワイヤレスデバイスをサービスするための、前記１つまたは複数の基地局のうちの１つの基地局を選択するための手段と、
前記選択された基地局の指示を前記１つまたは複数の基地局にシグナリングするための手段と、
前記選択された基地局から、前記ワイヤレスデバイスからフォワーディングされたアップリンクデータを受信するための手段と
を備える、装置。
【手続補正２】
【補正対象書類名】明細書
【補正対象項目名】０１０６
【補正方法】変更
【補正の内容】
【０１０６】
[00117]本開示についての以上の説明は、当業者が本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレスノードによるワイヤレス通信のための方法であって、
セルの基地局から、ワイヤレスデバイスのためのランダムアクセスチャネル（ＲＡＣＨ）構成を示すシグナリングを受信することと、
前記ＲＡＣＨ構成に基づいて、ＲＡＣＨプロシージャを実行する前記ワイヤレスデバイスを検出することと、
ＲＡＣＨ検出を前記セルの前記基地局に報告することと、
前記セルの前記基地局とのアップリンク通信のために前記ワイヤレスデバイスをサービスするための前記ワイヤレスノードが選択されたことを示すシグナリングを受信することと、
前記ワイヤレスデバイスから送信されたアップリンクデータを受信することと、
前記アップリンクデータを前記セルの前記基地局にフォワーディングすることとを備える、方法。
［Ｃ２］
前記ワイヤレスデバイスの前記ＲＡＣＨ構成を示す前記シグナリングが、バックホールインターフェースを介して受信される、Ｃ１に記載の方法。
［Ｃ３］
前記セルの前記基地局との前記バックホールインターフェースを確立することと、
前記確立中に前記ＲＡＣＨ構成の指示を受信することと
をさらに備える、Ｃ２に記載の方法。
［Ｃ４］
前記確立の一部として前記セルの前記基地局にアップリンク構成情報を送信することをさらに備える、Ｃ３に記載の方法。
［Ｃ５］
ＲＡＣＨプロシージャを実行する前記ワイヤレスデバイスを検出した後に、
前記ワイヤレスデバイスにＲＡＣＨ応答を送信することと、
前記ワイヤレスデバイスから接続要求メッセージを受信することと
をさらに備える、Ｃ１に記載の方法。
［Ｃ６］
前記アップリンクデータが媒体アクセス制御（ＭＡＣ）プロトコルデータユニット（ＭＰＤＵ）として受信され、
前記アップリンクデータを前記セルの前記基地局にフォワーディングすることが、単一のメッセージ中で、前記受信されたＭＰＤＵを前記基地局に送信することを備える、Ｃ１に記載の方法。
［Ｃ７］
前記ワイヤレスデバイスのローディングまたはバッファステータスレジスタ（ＢＳＲ）のうちの少なくとも１つに基づいて、前記セルの前記基地局にアップリンクスケジューリング情報をフォワーディングすることをさらに備える、Ｃ６に記載の方法。
［Ｃ８］
アップリンク送信のために前記ワイヤレスデバイスをサービスすることを停止するための非アクティブ化プロシージャを実行することをさらに備える、Ｃ１に記載の方法。
［Ｃ９］
前記非アクティブ化プロシージャを開始することをさらに備える、Ｃ８に記載の方法。
［Ｃ１０］
前記ワイヤレスデバイスから送信されたアップリンクデータを受信することが、前記ワイヤレスデバイスからあらかじめスケジュールされたアップリンク送信を受信することを備える、Ｃ１に記載の方法。
［Ｃ１１］
前記あらかじめスケジュールされたアップリンク送信が、半永続的にスケジュールされたアップリンク送信を備える、Ｃ１０に記載の方法。
［Ｃ１２］
前記ＲＡＣＨ検出を報告することが、前記ＲＡＣＨ検出の電力レベルを報告することまたは前記ＲＡＣＨ検出のタイミングアドバンスを報告することのうちの少なくとも１つを備える、Ｃ１に記載の方法。
［Ｃ１３］
ワイヤレスノードによるワイヤレス通信のための方法であって、
ワイヤレスデバイスのためのランダムアクセスチャネル（ＲＡＣＨ）構成を示すシグナリングを１つまたは複数の基地局にフォワーディングすることと、
前記１つまたは複数の基地局から、前記ＲＡＣＨ構成に基づくＲＡＣＨ検出の１つまたは複数の報告を受信することと、
前記１つまたは複数の報告に基づいて、アップリンク通信のために前記ワイヤレスデバイスをサービスするための、前記１つまたは複数の基地局のうちの１つの基地局を選択することと、
前記選択された基地局の指示を前記１つまたは複数の基地局にシグナリングすることと、
前記選択された基地局から、前記ワイヤレスデバイスからフォワーディングされたアップリンクデータを受信することと
を備える、方法。
［Ｃ１４］
前記ワイヤレスデバイスの前記ＲＡＣＨ構成を示す前記シグナリングが、バックホールインターフェースを介してフォワーディングされる、Ｃ１３に記載の方法。
［Ｃ１５］
前記１つまたは複数の基地局との前記バックホールインターフェースを確立することと、
前記確立中に前記ＲＡＣＨ構成の指示をフォワーディングすることと
をさらに備える、Ｃ１４に記載の方法。
［Ｃ１６］
前記確立の一部として前記１つまたは複数の基地局からアップリンク構成情報を受信することをさらに備える、Ｃ１５に記載の方法。
［Ｃ１７］
前記フォワーディングされたアップリンクデータを受信することが、単一のメッセージ中で、前記選択された基地局から媒体アクセス制御（ＭＡＣ）プロトコルデータユニット（ＭＰＤＵ）を受信することを備える、Ｃ１３に記載の方法。
［Ｃ１８］
前記ワイヤレスデバイスのローディングまたはバッファステータスレジスタ（ＢＳＲ）のうちの少なくとも１つに基づいて、前記選択された基地局からアップリンクスケジューリング情報を受信することをさらに備える、Ｃ１７に記載の方法。
［Ｃ１９］
ＲＡＣＨ検出の前記１つまたは複数の報告を受信することが、前記ＲＡＣＨ検出の電力レベルを受信することまたは前記ＲＡＣＨ検出のタイミングアドバンスを受信することのうちの少なくとも１つを備える、Ｃ１３に記載の方法。
［Ｃ２０］
ワイヤレスノードによるワイヤレス通信のための装置であって、
セルの基地局から、ワイヤレスデバイスのためのランダムアクセスチャネル（ＲＡＣＨ）構成を示すシグナリングを受信するための手段と、
前記ＲＡＣＨ構成に基づいて、ＲＡＣＨプロシージャを実行する前記ワイヤレスデバイスを検出するための手段と、
ＲＡＣＨ検出を前記セルの前記基地局に報告するための手段と、
前記セルの前記基地局とのアップリンク通信のために前記ワイヤレスデバイスをサービスするための前記ワイヤレスノードが選択されたことを示すシグナリングを受信するための手段と、
前記ワイヤレスデバイスから送信されたアップリンクデータを受信するための手段と、
前記アップリンクデータを前記セルの前記基地局にフォワーディングするための手段とを備える、装置。
［Ｃ２１］
前記ワイヤレスデバイスの前記ＲＡＣＨ構成を示す前記シグナリングが、バックホールインターフェースを介して受信される、Ｃ２０に記載の装置。
［Ｃ２２］
ＲＡＣＨプロシージャを実行する前記ワイヤレスデバイスを検出した後に、
前記ワイヤレスデバイスにＲＡＣＨ応答を送信するための手段と、
前記ワイヤレスデバイスから接続要求メッセージを受信するための手段とをさらに備える、Ｃ２０に記載の装置。
［Ｃ２３］
前記アップリンクデータが媒体アクセス制御（ＭＡＣ）プロトコルデータユニット（ＭＰＤＵ）として受信され、
前記アップリンクデータを前記セルの前記基地局にフォワーディングすることが、単一のメッセージ中で、前記受信されたＭＰＤＵを前記基地局に送信することを備える、Ｃ２０に記載の装置。
［Ｃ２４］
アップリンク送信のために前記ワイヤレスデバイスをサービスすることを停止するための非アクティブ化プロシージャを実行するための手段をさらに備える、Ｃ２０に記載の装置。
［Ｃ２５］
前記ＲＡＣＨ検出を報告することが、前記ＲＡＣＨ検出の電力レベルを報告することまたは前記ＲＡＣＨ検出のタイミングアドバンスを報告することの少なくとも１つを備える、Ｃ２０に記載の装置。
［Ｃ２６］
ワイヤレスノードによるワイヤレス通信のための装置であって、
ワイヤレスデバイスのためのランダムアクセスチャネル（ＲＡＣＨ）構成を示すシグナリングを１つまたは複数の基地局にフォワーディングするための手段と、
前記１つまたは複数の基地局から、前記ＲＡＣＨ構成に基づくＲＡＣＨ検出の１つまたは複数の報告を受信するための手段と、
前記１つまたは複数の報告に基づいて、アップリンク通信のために前記ワイヤレスデバイスをサービスするための、前記１つまたは複数の基地局のうちの１つの基地局を選択するための手段と、
前記選択された基地局の指示を前記１つまたは複数の基地局にシグナリングするための手段と、
前記選択された基地局から、前記ワイヤレスデバイスからフォワーディングされたアップリンクデータを受信するための手段と
を備える、装置。
［Ｃ２７］
前記ワイヤレスデバイスの前記ＲＡＣＨ構成を示す前記シグナリングが、バックホールインターフェースを介してフォワーディングされる、Ｃ２６に記載の装置。
［Ｃ２８］
前記１つまたは複数の基地局との前記バックホールインターフェースを確立するための手段と、
前記確立中に前記ＲＡＣＨ構成の指示をフォワーディングするための手段とをさらに備える、Ｃ２７に記載の装置。
［Ｃ２９］
前記確立の一部として前記１つまたは複数の基地局からアップリンク構成情報を受信するための手段をさらに備える、Ｃ２８に記載の装置。
［Ｃ３０］
前記フォワーディングされたアップリンクデータを受信することが、単一のメッセージ中で、前記選択された基地局から媒体アクセス制御（ＭＡＣ）プロトコルデータユニット（ＭＰＤＵ）を受信することを備える、Ｃ２６に記載の装置。